(57)【要約】【課題】大判カメラでは、手動により露出設定する現状では、日の出などのように刻々と輝度の変化する被写体の撮影は被写体の輝度の変化に追いつかず、適正な露出設定が困難ゆえに失敗作が多く、特にアマチュア写真家には自動露出機能が欲しい。この要求は全ての手動設定に頼って撮影しているレンズに適用できる。一眼レフカメラでは自動露出機能があってもミラーアップしている時は自動露出機能は発揮できず、また、ミラーアップしていない一眼レフカメラあるいは自動露出レンジファインダ−カメラでも、焦点を合わせるべき被写体と適正露出を得たい被写体が異なれば、適正露出の写真を撮ることは困難である。【解決手段】露出計で得られた露出データに基づき自動的に露出制御できるような大判カメラ用レンズおよび自動露出カメラにし、露出計にカメラあるいはレンズと交信できる機能を持たせ、露出計で任意に選択した被写体の露出で撮影できるようにする。【選択図】図１
2005148332.tif 000002
【特許請求の範囲】
【請求項１】
露出計から露出データを受信して露出設定し、露出計からの信号でシャッターレリーズできるよう自動露出機能化した大判カメラ用レンズ、およびシャッターと絞り設定機能を独立して有し手動制御のみに頼っているレンズで自動露出機能化したレンズ。
【請求項２】
露出計から露出データとシャッターレリーズ信号を受信し、カメラ内蔵の露出計データに優先させて露出設定およびシャッター制御することにより、カメラがミラーアップされた状態でも自動露出機能を発揮できるようにした一眼レフカメラおよびレンジファインダ−カメラ。
【請求項３】
自動露出制御できるように改良された大判カメラ用レンズおよび自動露出機能を持つ一眼レフカメラとの信号授受により、測定した被写体の露出データを送信し、大判カメラ用レンズまたは一眼レフカメラを露出制御したりシャッター制御したり、カメラの性能に応じたプログラム露出ができるようにした露出計。
【発明の詳細な説明】
【技術分野】
【０００１】
本発明は露出計からのデータによって自動露出ができよう自動露出機能を持つようにした大判カメラ用レンズに関するもの、露出計から受信したデータを優先して露出設定できるようにした自動露出一眼レフあるいは自動露出レンジファインダーカメラに関するもの、および、自動露出機能を持つようにした大判カメラ用レンズや自動露出カメラと有線または無線で情報交換することにより、それらの露出制御およびシャッター制御ができるようにした露出計に関するものである。
【背景技術】
【０００２】
大判カメラはフィルムサイズか大きい為、撮影された写真の画質が素晴らしく、大きく伸ばしても画質が低下しないと言う利点から、多くの写真愛好家が大判カメラにより写真を撮影したいと願っているが、大判カメラは購入しても使いこなせなく、あまり使われないことが多いのが現状である。
それは、大判カメラは殆ど自動化が図られていなく、撮影に失敗することが多すぎ、フィルムが大きい故に現像代やフィルム代が高価で、更に写真愛好家にとって撮影の失敗は撮影旅行代が捨て金のように高価に感じてしまうものであるため、撮影の失敗が大判カメラの普及の障害となっている。
何より一年に一度有るか無いかの撮影チャンスを台無しにすることが写真愛好家にとっては生涯２度と遭遇できないこともあり耐えられないことであるが、このように稀にしか遭遇できないような風景は刻々と被写体の輝度が速く変化することが多く、写真愛好家はどうしても自動露出機能を持つカメラでそのシーンを捉えようとする方向に向かうため、自動露出機能を有する中判カメラまたは３５ミリカメラに頼る傾向にある。
しかし、写真の画質、あおり効果による作品は捨てがたく、大判カメラ愛好家は、撮影者の意図した写真がより簡単に少しでも失敗無く撮れるように自動化することができないかと考える。
【０００３】
現在の自動露出機能を持つ一眼レフカメラはミラーショックが大きく、風景写真など、ミラーアップしなければならないことが多いが、ミラーアップした状態では被写体の輝度変化に応じた露出制御をカメラで行うことはできない。
一眼レフでミラーアップしないで撮影する時も、ファインダーの左上の被写体に焦点を合わせ、右上の被写体の適正露出を得て撮影し、即刻中央あるいは右下の被写体の適正露出を得たい場合のように、構図と焦点設定はそのままで適正露出を得たい被写体を変えて新しい被写体の適正露出を得たい場合があるが、現状の自動露出一眼レフカメラでは、焦点を合わせたい被写体と適正露出を得たい被写体が同じであり対応はできない。
具体的な例として、自動焦点カメラで近くの樹木に焦点を合わせ、左上の朝焼けの空の適正露出を得たいと空にカメラを向けると樹木の合焦は解消されてしまい、合焦の解消を防止するべくシャッターを半押しにしていたら、即刻右上の山に掛かった霧の適正露出を得て撮影したい時は、シャッター半押しを解消しなければならず、三脚を緩めてからもとの構図にするうちチャンスを逃がしてしまうなど、現状のカメラでの自動露出方式では対応できないことが多い。
このように焦点を合わせたい被写体と、適正露出を得たい被写体が別である場合に、プロカメラマンは経験的データの蓄積で露出補正するようであるが、アマチュアではなかなか対応できない。このことは自動露出レンジファインダーカメラにも言える。
したがって、任意にかつ迅速に露出計測すべき被写体を変えて撮影できるようなカメラまたはシステム、当然、ミラーアップしていても適正露出が得られるカメラあるいはシステムの開発が望まれる。
【０００４】
露出計はカメラの視角範囲の中で自由に被写体を選び迅速に適正露出を得ることができるが、この測光機能により直接カメラを制御できないため、人手を介してカメラ側の設定をしなければならないが、シャッターチャンスをものにするべく活用が十分できないことが自動露出機能を持たない大判カメラで痛感する。
また、カメラ内臓露出計一眼レフカメラでも、焦点エリアと任意の露出エリアを即時選択できないという限界をカバーできるようにしたいと痛感する。
【発明の開示】
【発明が解決しようとする課題】
【０００５】
大判カメラで、先ず自動化を図りたいのは、露出の自動化であると考える。大判カメラは、レンズに付属している絞りとシャッターを設定したら、レンズを閉じてシャッターチャージをし、シャッターを押すばかりの状態にするが、この状態で、被写体の輝度が変化したら、撮影者は再度露出計で被写体の適正露出を得て後、カメラの前に回り込み、レンズの絞りとシャッターを設定し直す必要がある。
あたりが薄暗い時はレンズに記された絞り値あるいはシャッター速度の文字が見にくく、懐中電灯でレンズを照らし、老眼の撮影者は老眼鏡をかけてから再設定する必要があり、再設定後いざシャッターを押すばかりとなった時には又主題とする被写体の輝度が変化していることがある。
被写体の輝度の変化に合わせて露出の設定変更をしないと、写真全体が露出不足になったり露出オーバーになったりし、日の出、日没あるいは雲間から漏れる光が複数の被写体を代わる代わる照らしたり暗くしたりする風景の写真などは満足な写真が取れない。
したがって、露出だけでも自動化して作画意図に合致した写真を一枚でも多く撮りたいと願う。
【０００６】
一眼レフカメラで風景写真を撮ろうとする時など、カメラブレが写真を駄目にする場合が多く、どうしてもミラーショックを防止するために、ミラーアップの状態で撮影したい場合が多く、この状態で刻々変わる被写体の輝度に対して適正露出を得たいという要求を満たしたカメラが欲しい。
ミラーアップしていなくても、焦点を合わせた被写体と異なる幾多の被写体を任意かつ迅速に変えて適正露出を得たいと要求される場合がある。
それらの要求をみたすカメラあるいはシステムの開発が望まれるが、このようなカメラまたはシステムが無い為、闇雲にシャッターを切って枚数を多く撮影する写真家がいるが、まともな写真は殆ど撮れていない。
【０００７】
露出計で測定した被写体データは任意に選択でき、迅速かつ正確であるが、撮影に結び付ける時点で、人手を介して絞りとシャッターを設定する方法、すなわち手動設定では、刻々変化する被写体の適正露出を測定できる機能を十分活用できていなく、素晴らしい貴重な写真を撮ることは諦めざるを得ない。
【課題を解決するための手段】
【０００８】
大判カメラ用レンズを、露出計から送信されてくる露出データとシャッター制御信号を受信し、露出設定とシャッター制御ができる大判カメラ用レンズを製作することにより、大判カメラによる撮影が被写体の輝度変化に対応できるカメラになる。
【０００９】
自動露出カメラを、カメラ内臓の自動露出機能に優先して、露出計から送信されてくる信号を受信できるようにし、露出設定およびシャッター制御をする自動露出カメラにすればミラーアップの状態にも対処でき、焦点を合わせたい被写体と適正露出を得たい被写体を分けて撮影できるようになる。
【００１０】
露出計を、大判カメラ用レンズあるいは自動露出カメラに有線又は無線で信号を送信できるようにすれば、露出計の最もよい機能である、視角内での自由な被写体の選択と迅速なる露出測定機能をカメラに持たせることができ、しかもそれは合焦被写体に影響を与えず、また構図にも影響を与えない。
【発明の効果】
【００１１】
大判カメラ用レンズおよび自動露出機能を持つ一眼レフカメラが露出計とデータ交信できるようになれば、大判カメラでは刻々と変化する被写体の輝度変化に即応して目的とする被写体の露出が適正に測定でき、従来の手動設定より正確に設定が行えるので、写真家の意図する作品がより多く撮れ、大判カメラ愛好家人口が増加する。
【００１２】
一眼レフカメラでは、ミラーアップした状態で、刻々と変化する被写体の輝度変化に即応して目的とする被写体の露出が適正に測定できるばかりでなく、ミラーアップしていない状態でも焦点を合わせた被写体でない無数の被写体の適正露出を迅速に測定できるので写真家の意図した写真が撮りやすくなる。
これはレンジファインダーカメラでも同じである。
【００１３】
これらの要求は露出計が大判カメラ用レンズあるいは自動露出機能を持つ一眼レフカメラとデータ−交換できるようにすることにより可能となる。
【発明を実施するための最良の形態】
【００１４】
この写真愛好家の切なる願いは、大判カメラ用レンズと露出のデータ交信、あるいは一眼レフカメラと露出計のデータ交信で可能となる。
したがって、カメラ製造会社、レンズ製造会社および露出計製造会社が協力して信号授受条件の仕様を統一規格にすべく協議しこの発明を有効な物にして頂きたい。
【産業上の利用可能性】
【００１５】
手動設定しかできないと考えられていた大判カメラ用レンズを自動設定できるようにすることで、撮影者の意図する写真をより容易に撮影でき、大判写真の人気が上昇し、広くアマチュア層に愛好され業界の市場性が著しく向上する。
また露出に関して万能と思われている自動露出一眼レフカメラあるいはレンジファインダーカメラも内臓露出計のみでは限界があり、この発明が実現すればより写真家の意図した写真が撮れることにより、市場性が向上する。
【図面の簡単な説明】
【００１６】
【図１】大判カメラ用レンズあるいは自動露出機能付き一眼レフカメラが、任意の角度で被写体を測光して得られた露出計のデータを受信し、それに基づき露出設定し、シャッターを切り、絞りが５００分の１秒しかないレンズに１０００分の１秒の信号を送信しないようプログラムして、５００分の１秒にする代わり露光時間を長くするようなプログラムができる露出計にするという説明図である。
【図２】大判カメラ用レンズ、自動機能カメラおよび露出計が単独に機能している現状。
【符号の説明】
【００１７】
１  カメラとの通信機能を有する露出計
２  露出計から信号を受信し、それに基づき露出設定できる大判カメラ用レンズまたは自動露出一眼レフカメラ（あるいは、自動露出レンジファインダーカメラ）
３  手動で露出設定できるもみで、露出計との交信機能の無い大判カメラ用レンズ
４  カメラとの通信機能を有しない単独露出計
５  露出計との交信機能の無い自動露出カメラ
【図１】
2005148332.tif 000003
【図２】
2005148332.tif 000004